(57)【要約】【課題】  コンクリート強度試験体型枠の組み付け，分解が容易にでき、型枠の再利用も可能であると共に、コンクリート強度試験体の保型が確実にでき、コンクリートの円柱形が正確に形成できるコンクリート強度試験体型枠を提供する。【解決手段】  円盤状の底部材２と、合成樹脂製の複数の断面弧状の筒構成部材３とを組み付けてなるコンクリート強度試験体型枠１において、各断面弧状の筒構成部材の外周に開口側から底部側に向けて肉厚になるようなテーパを付けたリブ６が複数条形成され、内周に前記各リブと嵌合する溝１０を備え外周下端面側上下に滑り止め模様１２を付した打撃受け用突起１３を備えた筒体の締め付けリング４が筒体の中央部位に嵌め合わさるようにしたコンクリート強度試験体型枠。【選択図】        図１
2009288132.tif 000002
【特許請求の範囲】
【請求項１】
円盤状の底部材と、合成樹脂製の複数の断面弧状の筒構成部材とを組み付けてなるコンクリート強度試験体型枠において、各断面弧状の筒構成部材の外周に開口側から底部側に向けて肉厚になるようなテーパを付けたリブを複数条形成し、内周に前記各リブと嵌合する溝を備え外周下端面側上下に滑り止め模様を付した打撃受け用突起を備えた筒体の締め付けリングを筒体の中央部位に嵌め合わせるようにしたことを特徴とするコンクリート強度試験体型枠。
【請求項２】
コンクリートの養生中に筒体の開口部を塞ぐ蓋体を、筒体の上部開口部外周に嵌着するようにしたことを特徴とする請求項１記載のコンクリート強度試験体型枠。
【発明の詳細な説明】
【技術分野】
【０００１】
本発明は、円盤状の底部材と、合成樹脂製の複数の断面弧状の筒構成部材とを組み付けてなるコンクリート強度試験体型枠に関するものである。
【背景技術】
【０００２】
従来，円盤状の底部材と、合成樹脂製の複数の断面弧状の筒構成部材とを組み付けてなるコンクリート強度試験体型枠において、該筒体開口部に合成樹脂製の環状枠を組み付け有底筒状の型枠を構成したものがある（例えば特許文献１参照。）。
【０００３】
【特許文献１】特開平６−１７４６１４号公報
【発明の開示】
【発明が解決しようとする課題】
【０００４】
ところで、前記の従来の技術では、組み合わされた筒体の組み合わせ部からコンクリートが漏れる可能性があると共に、コンクリート強度試験体型枠の保型が確実にできず、コンクリートの円柱形が正確に形成できない虞があった。
【０００５】
本発明は、従来の技術の有するこのような問題点に鑑みてなされたものであり、その目的とするところは、コンクリート強度試験体型枠の組み付け，分解が容易にでき、型枠の再利用も可能であると共に、コンクリート強度試験体の保型が確実にでき、コンクリートの円柱形が正確に形成できるコンクリート強度試験体型枠を提供しようとするものである。
【課題を解決するための手段】
【０００６】
上記目的を達成するために、本発明におけるコンクリート強度試験体型枠は、円盤状の底部材と、合成樹脂製の複数の断面弧状の筒構成部材とを組み付けてなるコンクリート強度試験体型枠において、各断面弧状の筒構成部材の外周に開口側から底部側に向けて肉厚になるようなテーパを付けたリブを複数条形成し、内周に前記各リブと嵌合する溝を備え外周下端面側上下に滑り止め模様を付した打撃受け用突起を備えた筒体の締め付けリングを筒体の中央部位に嵌め合わせるようにしたものである。
【０００７】
また、コンクリートの養生中に筒体の開口部を塞ぐ蓋体を、筒体の上部開口部外周に嵌着するようにしたものである。
【発明の効果】
【０００８】
請求項１においては、円盤状の底部材と、合成樹脂製の複数の断面弧状の筒構成部材とを組み付けてなるコンクリート強度試験体型枠において、各断面弧状の筒構成部材の外周に開口側から底部側に向けて肉厚になるようなテーパを付けたリブを複数条形成し、内周に前記各リブと嵌合する溝を備え外周下端面側上下に滑り止め模様を付した打撃受け用突起を備えた筒体の締め付けリングを筒体の中央部位に嵌め合わせるようにしたことから、コンクリート強度試験体型枠の組み付け，分解が容易にでき、コンクリート強度試験体型枠の再利用も可能であると共に、コンクリート強度試験体型枠の保型が確実にでき、コンクリートの円柱形が正確に形成できるコンクリート強度試験体型枠となる。
【０００９】
請求項２においては、コンクリートの養生中に筒体の開口部を塞ぐ蓋体を、筒体の上部開口部外周に嵌着するようにしたことから、コンクリート強度試験体型枠の保型がより確実にでき、筒体の開口部からの雑物の混入を防止できるコンクリート強度試験体型枠となる。
【発明を実施するための最良の形態】
【００１０】
円盤状の底部材と、合成樹脂製の複数の断面弧状の筒構成部材とを組み付けてなるコンクリート強度試験体型枠において、各断面弧状の筒構成部材の外周に開口側から底部側に向けて肉厚になるようなテーパを付けたリブを複数条形成し、内周に前記各リブと嵌合する溝を備え外周下端面側上下に滑り止め模様を付した打撃受け用突起を備えた筒体の締め付けリングを筒体の中央部位に嵌め合わせるようにしたものである。
【００１１】
また、コンクリートの養生中に筒体の開口部を塞ぐ蓋体を、筒体の上部開口部外周に嵌着するようにしたものである。
【実施例１】
【００１２】
図１ないし図４は本発明の実施例に関するものであり、図１は本発明のコンクリート強度試験体型枠の使用状態説明図及びその分解説明図、図２は図１における断面弧状の筒構成部材の平面図、図３は図１における筒体の締め付けリングのＡ−Ａ断面図、図４は図１における蓋体のＢ−Ｂ断面図である。
【００１３】
図において、１はコンクリート強度試験体型枠であり、該型枠１は円盤状の底部材２と、複数の断面弧状の筒構成部材３，３と、筒体の締め付けリング４とで構成されている。
【００１４】
前記底部材２は、鉄板，合成樹脂等により形成され、断面弧状の筒構成部材３，３の底部位に形成された溝５，５に挿着されて有底中空円筒体を形成している。
【００１５】
前記断面弧状の筒構成部材３は合成樹脂（例えば炭酸カルシウム含有ポリエチレン）で形成され、その外周には、開口側から底部側に向けて肉厚になるようなテーパ（例えば２度）を付けたリブ６が複数条形成され、また、筒構成部材３の一方の側壁には凹条の溝７が成形され他方の側壁には凸条の突起８が成形されている。そして他方の筒構成部材３の一方の側壁には凸条の突起８が成形し他方の側壁には凹条の溝７が成形することにより、二つ筒構成部材３の側壁を凹条の溝７と凸条の突起８とで係合させて、確実な筒体が形成される。
９，９，…は筒構成部材３の側壁の外周に設けた筒体分解時にドライバー等を使用して筒構成部材３，３を押し開く突起部材である。
【００１６】
前記筒体の締め付けリング４は合成樹脂（例えば炭酸カルシウム含有ポリエチレン）で形成され、その内周に前記各リブ６と嵌合する溝１０，１０，…を備え、また、両側部内周には前記突起部材９，９が挿通できる溝１１，１１が成形されている。そして、筒体の締め付けリング４の外周下端面側上下に滑り止め模様１２を付した打撃受け用突起１３，１３が備えられている。
【００１７】
以上のような構成からなるコンクリート強度試験体型枠は、前記複数の断面弧状の筒構成部材３，３が組み付けられた有底中空円筒体の開口部側から前記筒体の締め付けリング４を前記構成部材３の外周に形成したリブ６，６…と該筒体の締め付けリング４の内周に形成した溝１０，１０，…が嵌合するように配置し、そして前記筒体の締め付けリング４の外周下端面に形成された打撃受け用突起１３，１３の上面の滑り止め模様１２をハンマーにより打撃する。この打撃により前記構成部材３の外周に形成したリブ６，６…がレールとなり、またリブ６が開口側から底部側に向けて肉厚になるようなテーパ（例えば２度）であることから筒体の締め付けリング４は筒体の略中央部位に嵌め合わせられる。
【００１８】
ここで筒体の内部にコンクリートを打ち込み、養生させてコンクリート強度試験体１４をコンクリート強度試験体型枠１により成形する。この際、前記筒体の締め付けリング４が筒体の略中央部位に嵌め合わされていることから、筒体は確実に円柱形に保持されている。
【００１９】
成形されたコンクリート強度試験体１４をコンクリート強度試験体型枠１から取り出す手段としては、先ずコンクリート強度試験体型枠１を逆さまにして、筒体の略中央部位に嵌め合わされている筒体の締め付けリング４の打撃受け用突起１３，１３の下面の滑り止め模様１２をハンマーにより打撃して、筒体の締め付けリング４を筒体の開口部側から抜き出す。次に前記筒構成部材３の側壁の外周に設けた突起部材９，９，…にドライバーを使用して筒構成部材３，３を押し開くことにより、容易にコンクリート強度試験体１４を取り出すことができる。
【００２０】
なお、コンクリート強度試験体型枠１は、合成樹脂（例えば炭酸カルシウム含有ポリエチレン）製であることからその保型が容易に維持できて、複数回コンクリート強度試験体１４の成形を可能とするものである。
【実施例２】
【００２１】
筒体の内部にコンクリートを打ち込み、養生させている際に筒体の開口部を蓋体１５で塞ぐことも可能である。
蓋体１５は合成樹脂（例えば炭酸カルシウム含有ポリエチレン）で形成され、その内周に前記各リブ６と嵌合する溝１６，１６，…を備え、また、内周下端面に複数の凹孔１７，１７，…が穿設されている。そして、蓋体１５の外周下端面側上下に滑り止め模様１８を付した打撃受け用突起１９，１９が備えられている。
前記断面弧状の筒構成部材３，３の外周上端面には前記蓋体１５の内周下端面に穿設された複数の凹孔１７，１７，…が嵌着される複数の凸部２０，２０，…が形成され、前記蓋体１５の外周下端面に形成された打撃受け用突起１９，１９の上面の滑り止め模様１８をハンマーにより打撃することにより、蓋体１５は筒体の上部開口部外周に確実に嵌着される。
【００２２】
コンクリートの養生中に蓋体１５で筒体の開口部を塞ぐことにより、コンクリート強度試験体型枠１の保型がより確実になり、筒体の開口部からの例えばゴミ，小虫等の雑物混入も防止することができるものとなる。
また、蓋体１５の取り外しもコンクリート強度試験体型枠１を逆さまにして、蓋体１５の打撃受け用突起１９，１９の下面の滑り止め模様１２をハンマーにより打撃することにより容易に筒体から取り外すことができる。
【図面の簡単な説明】
【００２３】
【図１】本発明のコンクリート強度試験体型枠の使用状態説明図及びその分解説明図である。
【図２】図１における断面弧状の筒構成部材の平面図である。
【図３】図１における筒体の締め付けリングのＡ−Ａ断面図である。
【図４】図１における蓋体のＢ−Ｂ断面図である。
【符号の説明】
【００２４】
１                        コンクリート強度試験体型枠
２                        円盤状の底部材
３                        断面弧状の筒構成部材
４                        筒体の締め付けリング
６                        リブ
１０                      溝
１２                      滑り止め模様
１３                      打撃受け用突起
１５                      蓋体
【図１】
2009288132.tif 000003
【図２】
2009288132.tif 000004
【図３】
2009288132.tif 000005
【図４】
2009288132.tif 000006